(57)【要約】【課題】モータハウジングの小型化を図りながら、回転工具の外面に記載される製造メーカや製品情報の表示内容をユーザにとって視認し易いようにする。【解決手段】インパクトドライバ１０は、駆動源となるブラシレスモータとブラシレスモータを収容するモータハウジング部３１とを有し、アンビル５６を回転動作させる。モータハウジング部３１の後部には、モータハウジング部３１とは別のリアカバー部材６０が組み付けられている。このリアカバー部材６０には、モータハウジング部３１とは別の左側周壁部６５および右側周壁部７５を有する。ここで左側周壁部６５の左側外周面６６は、モータハウジング部３１の外周範囲を越える径方向外側の範囲まで延びているので、モータハウジング部３１の外周範囲を越えた範囲にまで識別可能なロゴ表示部６７を設けることができる。【選択図】図１
2017144523.tif 000002
【特許請求の範囲】
【請求項１】
モータを収容する樹脂製のモータハウジングと、
前記モータハウジングと一体的に前記モータハウジングの下方に配置されるグリップハウジングと、
前記モータにより駆動され、前記モータよりも前方に配される出力部と、を有し、
前記モータハウジングの側部には、前記モータハウジングとは別の外周部が配置されている、回転工具。
【請求項２】
請求項１に記載の回転工具において、
前記外周部は、前記モータハウジングの外周面に被さるように配置されている、回転工具。
【請求項３】
請求項１に記載の回転工具において、
前記モータハウジングには、該モータハウジングの外周範囲を一部切り欠く切欠き部が設けられており、
前記外周部は、前記切欠き部に入り込んで配置されている、回転工具。
【請求項４】
請求項２または請求項３に記載の回転工具において、
前記外周部は、前記モータハウジングに組み付けられる他のハウジング部材と一体に形成されている、回転工具。
【請求項５】
請求項４に記載の回転工具において、
前記ハウジング部材は、前記モータハウジングの後部に組み付けられるカバー体である、回転工具。
【請求項６】
請求項４に記載の回転工具において、
前記ハウジング部材は、前記モータハウジングの前部に組み付けられる機構ケースである、回転工具。
【請求項７】
請求項４に記載の回転工具において、
前記ハウジング部材は、前記モータハウジングの前部に組み付けられる機構ケースのケースカバーである、回転工具。
【請求項８】
請求項１から請求項７のいずれかに記載の回転工具において、
前記モータハウジングには、内部と外部とを連通する通気孔が設けられており、
前記外周部は、前記通気孔を通気可能に被さるように配置されている、回転工具。
【請求項９】
請求項１から請求項８のいずれかに記載の回転工具において、
前記外周部の外周面には、ロゴ表示部が設けられている、回転工具。
【請求項１０】
請求項１から請求項８のいずれかに記載の回転工具において、
前記外周部の外周面には、製品情報表示部が設けられている、回転工具。
【請求項１１】
モータを収容する樹脂製のモータハウジングと、
前記モータハウジングと一体的に、前記モータハウジングの下方に配置されるグリップハウジングと、
前記モータハウジングに対して固定され、前記モータハウジングの前方に配置される金属製のケースと、
前記モータにより駆動され、前記ケースに支持される出力部と、を有し、
前記ケースにロゴ表示部が形成されている、回転工具。
【請求項１２】
請求項１１に記載の回転工具において、
前記ケースの前部には、バンパが支持されるバンパ保持部が形成されており、
前記モータの軸を支持するベアリングを支持するベアリングボックスを有し、
前記ケースの後部には、前記ベアリングボックスを支持するベアリングボックス支持部を有し、
前記ロゴ表示部は、前記バンパ保持部の後方であって前記ベアリングボックス支持部の前方に配置される、回転工具。
【請求項１３】
請求項１１に記載の回転工具において、
前記ロゴ表示部は、前記モータハウジングに対して回転規制方向で嵌合している、回転工具。
【発明の詳細な説明】
【技術分野】
【０００１】
本発明は、出力軸を回転動作させる回転工具に関する。
【背景技術】
【０００２】
従来、インパクトドライバに代表される回転工具が知られている（非特許文献１参照）。このような回転工具は、モータハウジングに駆動源となるモータが内装される。モータハウジングの下側には、手で握られるグリップハウジングが設けられる。このような回転工具には、製造メーカのロゴや製品情報が記載されたネームプレートを、ユーザに視認可能にモータハウジングの外周面に設けることがある。このように設けたロゴやネームプレートは、ユーザが手でグリップハウジングを握っている場合でも外部から視認可能にされている。
【先行技術文献】
【非特許文献】
【０００３】
【非特許文献１】２０１５年４月マキタ総合カタログ  １６ページ  「充電式インパクトドライバ」
【発明の概要】
【発明が解決しようとする課題】
【０００４】
ところで、上記した回転工具にあっては、モータハウジングの小型化を図って、工具としての取り扱い易さを高めている。反面、モータハウジングが小さくなると、上記したロゴやネームプレートの配設範囲は狭いものとなってしまう。そうすると、ロゴやネームプレートに記載される文字の大きさを小さくしなければならず、ユーザにとって視認し難いものとなってしまう。
【０００５】
本発明は、このような事情に鑑みなされたものであって、本発明が解決しようとする課題は、出力軸を回転動作させる回転工具において、モータハウジングの小型化を図りながらも、回転工具の外面に記載される製造メーカや製品情報の表示内容をユーザにとって視認し易いようにすることにある。
【課題を解決するための手段】
【０００６】
上記した課題を解決するにあたって、本発明に係る回転工具は次の手段をとる。すなわち、本発明の第１の発明に係る回転工具は、モータを収容する樹脂製のモータハウジングと、前記モータハウジングと一体的に前記モータハウジングの下方に配置されるグリップハウジングと、前記モータにより駆動され前記モータよりも前方に配される出力部と、を有し、前記モータハウジングの側部には、前記モータハウジングとは別の外周部が配置されている、という構成である。
【０００７】
この第１の発明に係る回転工具によれば、モータハウジングの側部にはモータハウジングとは別の外周部が配置されているので、モータハウジングの外周範囲を越えた範囲にまで視認可能な表示部を設けることができる。これによって、モータハウジングの小型化が図られてモータハウジングの外周範囲が狭くなってしまう場合でも、モータハウジングの外周とは別の箇所に表示部を設けることができる。したがって、モータハウジングの小型化が図られた回転工具にあっても、表示内容はユーザにとって視認し易いものとなる。
【０００８】
本発明の第２の発明に係る回転工具は、前記第１の発明に係る回転工具において、前記外周部は、前記モータハウジングの外周面に被さるように配置されている、という構成である。この第２の発明に係る回転工具によれば、外周部はモータハウジングの外周面に被さるように配置されているので、モータハウジングを含むハウジング構成を変えることなく外周部を設けることができる。
【０００９】
本発明の第３の発明に係る回転工具は、前記第１の発明に係る回転工具において、前記モータハウジングには、該モータハウジングの外周範囲を一部切り欠く切欠き部が設けられており、前記外周部は、前記切欠き部に入り込んで配置されている、という構成である。この第３の発明に係る回転工具によれば、外周部は、モータハウジングに設けられた切欠き部に入り込んで配置されているので、外周部を配置した場合の外周寸法を抑えることができる。
【００１０】
本発明の第４の発明に係る回転工具は、前記第２または前記第３の発明に係る回転工具において、前記外周部は、前記モータハウジングに組み付けられる他のハウジング部材と一体に形成されている、という構成である。この第４の発明に係る回転工具によれば、外周部はモータハウジングに組み付けられる他のハウジング部材と一体に形成されているので、部品点数を抑えることができて製造に有利となる。
【００１１】
本発明の第５の発明に係る回転工具は、前記第４の発明に係る回転工具において、前記ハウジング部材は、前記モータハウジングの後部に組み付けられるカバー体である、という構成である。この第５の発明に係る回転工具によれば、ハウジング部材はモータハウジングの後部に組み付けられるカバー体であるので、カバー体の組付けと同時に外周部を組み付けることができる。
【００１２】
本発明の第６の発明に係る回転工具は、前記第４の発明に係る回転工具において、前記ハウジング部材は、前記モータハウジングの前部に組み付けられる機構ケースである、という構成である。この第６の発明に係る回転工具によれば、ハウジング部材はモータハウジングの前部に組み付けられる機構ケースであるので、機構ケースの組付けと同時に外周部を組み付けることができる。
【００１３】
本発明の第７の発明に係る回転工具は、前記第４の発明に係る回転工具において、前記ハウジング部材は、前記モータハウジングの前部に組み付けられる機構ケースのケースカバーである、という構成である。この第７の発明に係る回転工具によれば、ハウジング部材はモータハウジングの前部に組み付けられる機構ケースのケースカバーであるので、ケースカバーの組付けと同時に簡単に外周部を組み付けることができる。
【００１４】
本発明の第８の発明に係る回転工具は、前記第１から前記第７のいずれかの発明に係る回転工具において、前記モータハウジングには、内部と外部とを連通する通気孔が設けられており、前記外周部は、前記通気孔を通気可能に被さるように配置されている、という構成である。この第８の発明に係る回転工具によれば、外周部は通気孔を通気可能に被さるように配置されているので、通気孔によりモータハウジングの内部と外部と連通させることができながら、通気孔範囲まで外周面を形成することができて、外周面の範囲を拡げることができる。
【００１５】
本発明の第９の発明に係る回転工具は、前記第１から前記第８のいずれかの発明に係る回転工具において、前記外周部の外周面にはロゴ表示部が設けられている、という構成である。この第９の発明に係る回転工具によれば、外周部の外周面にはロゴ表示部が設けられているので、ユーザはロゴを視認することができる。
【００１６】
本発明の第１０の発明に係る回転工具は、前記第１から前記第８のいずれかの発明に係る回転工具において、前記外周部の外周面には製品情報表示部が設けられている、という構成である。この第１０の発明に係る回転工具によれば、外周部の外周面には製品情報表示部が設けられているので、ユーザは製品情報を視認することができる。
【００１７】
本発明の第１１の発明に係る回転工具は、モータを収容する樹脂製のモータハウジングと、前記モータハウジングと一体的に前記モータハウジングの下方に配置されるグリップハウジングと、前記モータハウジングに対して固定され前記モータハウジングの前方に配置される金属製のケースと、前記モータにより駆動され前記ケースに支持される出力部と、を有し、前記ケースにロゴ表示部が形成されている、という構成である。この第１１の発明に係る回転工具によれば、モータハウジングの前方に配置される金属製のケースにロゴ表示部が形成されているので、モータハウジングの小型化が図られてモータハウジングの外周範囲が狭くなってしまう場合でもロゴ表示部の視認は可能となる。したがって、小型化が図られた回転工具にあっても、表示内容はユーザにとって視認し易いものとなる。
【００１８】
本発明の第１２の発明に係る回転工具は、前記第１１の発明に係る回転工具において、前記ケースの前部には、バンパが支持されるバンパ保持部が形成されており、前記モータの軸を支持するベアリングを支持するベアリングボックスを有し、前記ケースの後部には、前記ベアリングボックスを支持するベアリングボックス支持部を有し、前記ロゴ表示部は、前記バンパ保持部の後方であって前記ベアリングボックス支持部の前方に配置される、という構成である。この第１２の発明に係る回転工具によれば、ロゴ表示部はバンパ保持部の後方であってベアリングボックス支持部の前方に配置されるので、外部からの傷つき難い位置としながら、より前側に配置されて視認性に優れたものとなる。
【００１９】
本発明の第１３の発明に係る回転工具は、前記第１１の発明に係る回転工具において、前記ロゴ表示部は、前記モータハウジングに対して回転規制方向で嵌合している、という構成である。この第１３の発明に係る回転工具によれば、ロゴ表示部はモータハウジングに対して回転規制方向で嵌合しているので、ロゴ表示部はモータハウジングに対するケースの回り止め作用も兼ねることができる。
【図面の簡単な説明】
【００２０】
【図１】第１の実施の形態のインパクトドライバを示す外観斜視図である。
【図２】図１のインパクトドライバを右側面視した側面図である。
【図３】図２の図示(III)-(III)断面矢視を示す断面図である。
【図４】左右半割り断面視にて図１のインパクトドライバを示す断面図である。
【図５】リアカバー部材を単品で示す右側斜視図である。
【図６】ネームラベルが外されたリアカバー部材を単品で示す右側斜視図である。
【図７】リアカバー部材を単品で示す左側斜視図である。
【図８】リアカバー部材を単品で示す後側斜視図である。
【図９】ハンマケースカバーを単品で示す前側斜視図である。
【図１０】ハンマケースカバーを単品で示す後側斜視図である。
【図１１】第２の実施の形態のインパクトドライバを示す外観斜視図である。
【図１２】図１１のインパクトドライバを右側面視した側面図である。
【図１３】図１２の図示(XIII)-(XIII)断面矢視を示す断面図である。
【図１４】取り外された周壁カバーを示す右側斜視図である。
【図１５】第３の実施の形態のインパクトドライバを示す外観斜視図である。
【図１６】図１５のインパクトドライバを左側面視した側面図である。
【図１７】ハンマケースを単品で示す外観斜視図である。
【図１８】図１７のハンマケースを左側面視した側面図である。
【発明を実施するための形態】
【００２１】
〔第１の実施の形態〕
以下、本発明に係る回転工具を実施するための第１の実施の形態について、図１〜図１０を参照しながら説明する。図１〜図４では本発明に係る回転工具としてのインパクトドライバ１０を図示している。図１の外観斜視図は第１の実施の形態のインパクトドライバ１０を示している。図２の側面図は図１のインパクトドライバ１０の右側面視を示している。図３の断面図は図２の図示(III)-(III)断面矢視を示している。図４の断面図は左右半割り断面視にて図１のインパクトドライバ１０を示している。図５の右側斜視図はリアカバー部材６０を単品で示している。図６の右側斜視図は、ネームラベル７７が外されたリアカバー部材６０を単品で示している。図７の左側斜視図はリアカバー部材６０を単品で示している。図８の後側斜視図はリアカバー部材６０を単品で示している。図９の前側斜視図はハンマケースカバー７０を単品で示している。図１０の後側斜視図はハンマケースカバー７０を単品で示している。
【００２２】
以下、インパクトドライバ１０を説明するにあたっては、図面に記載の『前後上下左右』の方向に基づいて説明する。ちなみに、インパクトドライバ１０における下方向は、グリップ部２０の配置方向に基づいて規定している。また、インパクトドライバ１０における前方向は、アンビル５６の配置方向に基づいて規定している。アンビル５６は、本願発明に係る出力軸に相当する。つまり、図示規定の前方向が、本発明に係る出力方向に相当する。なお、図１〜図４に示すインパクトドライバ１０の工具本体１１には、電源としての電動工具用のバッテリ１００が装着される。このバッテリ１００は、工具本体１１の下部に設定されるバッテリ装着部１３に装着されている。
【００２３】
インパクトドライバ１０は、アンビル５６を回転動作させるピストル形工具である。詳しく言えば、インパクトドライバ１０は回転打撃工具として構成される。ちなみに、インパクトドライバ１０を使用する場合には、工具本体１１の前部に設定されるアンビル５６に、先端工具としての螺子締め用のビットＢが取り付けられる。このアンビル５６の回転動作に対して所定値以上のトルクが外部から加わると、この回転動作には回転方向の打撃力が加えられるようになっている。なお、バッテリ装着部１３に装着されるバッテリ１００は、例えば株式会社マキタ製のＢＬ１４５０が挙げられる。バッテリ１００は、バッテリ装着部１３に対して前から後に向けて相対的にスライドさせることにより装着される。なお、バッテリ装着部１３からバッテリ１００を取り外す場合は、バッテリ１００に設けられるロック解除ボタン１０１を押しながら、バッテリ装着部１３に対してバッテリ１００を後から前に向けて相対的にスライドさせることによって取り外されるようになっている。
【００２４】
工具本体１１は、図４等に示すように、概略、バッテリ装着部１３とグリップ部２０とモータ部３０とハンマ部４０とを有する。バッテリ装着部１３はハウジング１４の下部に設けられている。ハウジング１４は、左側分割ハウジング１５と右側分割ハウジング１６とを合体させることにより形成される。左側分割ハウジング１５と右側分割ハウジング１６とは、アンビル５６の軸方向（前後方向）に対して、交差方向となる左右方向に分割可能な構成となっている。左側分割ハウジング１５と右側分割ハウジング１６とは、８つの螺子締結箇所（図示符号１２）で合体状態が保持されている。具体的には、バッテリ装着部１３では２つの螺子締結箇所（図示符号１２）が設けられており、グリップ部２０では２つの螺子締結箇所（図示符号１２）が設けられており、モータ部３０およびハンマ部４０では４つの螺子締結箇所（図示符号１２）が設けられている。
【００２５】
ハウジング１４は、ユーザの手で握られるグリップハウジング部２１と図示ブラシレスモータ３３を内蔵するモータハウジング部３１とを兼ねている。グリップハウジング部２１は、モータハウジング部３１の下方に配置されている。工具本体１１の下部に設定されるバッテリ装着部１３は、バッテリ１００をスライドさせて着脱可能に構成されている。このため、バッテリ装着部１３には、バッテリ１００に対応したレール構造（図示省略）および係止構造１３２が設けられている。また、バッテリ装着部１３には、図４に示すようにハウジング１４に支持されるターミナル１３１が設けられている。バッテリ装着部１３の前端位置は、後に説明するハンマ部４０の前端位置と前後方向で略一致となる位置に設定されている。また、バッテリ装着部１３の後端位置は、後に説明するモータ部３０の後端位置と前後方向で略一致するように設定されている。
【００２６】
バッテリ装着部１３の直ぐ上側のハウジング１４の内部には、コントローラ１３３が収納される。また、前側に張り出されたバッテリ装着部１３の上側には、操作表示部１７が設けられている。また、ハウジング１４には、図１等に示すようにストラップ部材１８およびフック部材１９が取り付けられている。また、バッテリ装着部１３の上側には、ユーザの手で握られるグリップ部２０が設けられる。グリップ部２０は、ハウジング１４の一部となるグリップハウジング部２１により形成される。グリップ部２０は、アンビル５６の軸方向（前後方向）に交差する上下方向に延ばされて形成される。なお、グリップ部２０をなすグリップハウジング部２１は、ユーザが手で握った場合に指掛かりが良くなる形状が選択されている。
【００２７】
グリップハウジング部２１の上部には、操作スイッチ２２が設けられている。操作スイッチ２２は、図４に示すように、グリップハウジング部２１の内部に収容されるスイッチ本体２３と、スイッチ本体２３に押込み入力するトリガ部材２４と、アンビル５６の正転逆転の回転方向を切替える切替ノブ２５とを有する。操作スイッチ２２は、トリガ部材２４の押込み操作による入力に応じて上記したコントローラ１３３に操作信号を送信する。トリガ部材２４は前面に配置され、トリガ部材２４とは反対側のグリップハウジング部２１の後部は前側に向かって凹まされた凹形の形状をなしている。スイッチ本体２３の上側には切替ノブ２５が配置されており、トリガ部材２４の上側にはＬＥＤ照射装置２６が設けられている。ＬＥＤ照射装置２６はインパクトドライバ１０の前方を照射可能に構成されている。
【００２８】
グリップ部２０の上側には、モータ部３０とハンマ部４０とが後から前に向かって並べられて配置されている。モータ部３０は、駆動源となるブラシレスモータ３３を有する。ブラシレスモータ３３は、ハウジング１４の一部となるモータハウジング部３１に収容支持されている。このモータハウジング部３１は、ブラシレスモータ３３を支持するほか、後述するベアリングボックス５０およびハンマケース５８も支持する。ブラシレスモータ３３は、モータ軸３５と一体回転するロータ３３１と、ロータ３３１に回転作用を与えるステータ３３３と、ロータ３３１の回転位置を検出するセンサ基板３３５とを有する。ロータ３３１には永久磁石３３２が取り付けられている。ステータ３３３にはコイル３３４が巻回されている。コイル３３４は、電流が流れると磁場を発生させる。センサ基板３３５は、ロータ３３１の前側に配置されてロータ３３１の回転位置を検出する。
【００２９】
モータ軸３５は、軸方向を前後方向で延ばすように配置されている。モータ軸３５は、前側がモータハウジング部３１に支持される前側ベアリング３５１に回転可能に支持されている。また、モータ軸３５は、後側がリアカバー部材６０のキャップ本体６１に支持される後側ベアリング３５２に回転可能に支持されている。モータ軸３５の後部には、モータ軸３５を回転軸とするファン３６が一体に取り付けられている。ファン３６は、ロータ３３１の後側であり且つ後側ベアリング３５２の前側に配置されている。ファン３６は、モータ軸３５と一体回転する遠心式ファンにより構成される。回転するファン３６は、ステータ３３３の内部を通気させながら前側から吸気し、図２に示すキャップ本体６１の排気用開口部３８１を通じて回転径方向の外部に排気する。モータ軸３５の前端には入力ギヤ３７が取り付けられている。入力ギヤ３７は、噛合する減速機構４１の遊星歯車４２に回転駆動力を入力する。
【００３０】
モータハウジング部３１の後端は、図４に示すように開口端３１１として設定される。この開口端３１１の開口は、リアカバー部材６０のキャップ本体６１によって閉塞される。キャップ本体６１は、左側分割ハウジング１５および右側分割ハウジング１６の後部に対して不図示の雄螺子により螺子止めされている。キャップ本体６１は、後に詳述するが、モータハウジング部３１と一体となってハウジング構造を構成する。キャップ本体６１の後端壁６２の略中央箇所には、後側ベアリング３５２が配置されて保持されている。キャップ本体６１の外環部６３には、図２に示すように排気用開口部３８１が設けられている。この排気用開口部３８１は、ファン３６の回転径方向の外側に位置され、この回転径方向で外部と内部とを連通している。なお、図１に仮想線で示すが、モータハウジング部３１には、複数の吸気用開口部３８２が設けられている。この吸気用開口部３８２は外部から吸気する通気口となっている。吸気用開口部３８２から吸気された外気は、ブラシレスモータ３３を冷却した後に、排気用開口部３８１から外部に排気される。この吸気用開口部３８２は、本発明に係る通気孔に相当し、モータハウジング部３１の外部と内部とを連通する。
【００３１】
ハンマ部４０は、モータ部３０の前側に配置され、モータハウジング部３１に支持されている。ハンマ部４０は、概略、減速機構４１と打撃機構５１とを有する。これら減速機構４１と打撃機構５１とは本発明に係る出力部として構成されている。減速機構４１は、モータ軸３５の回転駆動を打撃機構５１に減速させて伝達する。減速機構４１は、ベアリングボックス５０に支持されている。打撃機構５１はハンマケース５８に支持されている。ベアリングボックス５０とハンマケース５８とは、後から前への順で並べられて減速機構４１と打撃機構５１との両者を内装する。ベアリングボックス５０とハンマケース５８との両者は双方ともに金属により成形されている。なお、これらベアリングボックス５０およびハンマケース５８は、本発明に係る機構ケースに相当する。また、これら減速機構４１および打撃機構５１は、モータハウジング部３１の出力側に配置されており、本発明に係る動力伝達機構に相当する。これら減速機構４１および打撃機構５１は、ブラシレスモータ３３の駆動力をアンビル５６に伝達する。
【００３２】
ハンマケース５８の外周には、ハンマケースカバー７０が組み付けられている。ハンマケースカバー７０は、金属製のハンマケース５８と相違する透明な樹脂製となっている。ハンマケースカバー７０は、ハンマケース５８の外周を覆うように形成されている。ハンマケースカバー７０は、ハンマケース５８が外部にむき出しとならないように保護している。ハンマケースカバー７０の前側には係止部材６４が配置されている。係止部材６４は、ハンマケースカバー７０の前端部７１を押さえながらハンマケース５８の前端近くの被係止部５９に係止されている。このようにしてハンマケースカバー７０は、ハンマケース５８に支持されている。ハンマケースカバー７０は、図９および図１０に示すようにカバー本体７２と左係止側部７３と右係止側部７４とが一体に成形されてなる。
【００３３】
ハンマケース５８は、図４に示すように、下側大半がハウジング１４によって覆われており、上側大半がカバー本体７２によって覆われている。また、ハンマケース５８の前端部７１は係止部材６４により押さえ付けられている。左係止側部７３は、カバー本体７２の左部から左側へ突き出されるようにして設けられている。また、右係止側部７４は、カバー本体７２の右部から右側へ突き出されるようにして設けられている。左係止側部７３は、左側に張り出される左側周壁部６５の前端を覆う形状を有する。また、右係止側部７４は、右側に張り出される右側周壁部７５の前端を覆う形状を有する。左係止側部７３および右係止側部７４のそれぞれの後面には、係止凹部７３３，７４３が設けられている。これら係止凹部７３３，７４３は、前方に突出する係止前部６５７，７５７を係止可能に、前方へ凹まされた凹形に形成されている。また、左係止側部７３の外周面７３５は左側周壁部６５の左側外周面６６に対して滑らかに連なるように形成されており、右係止側部７４の外周面７４５は右側周壁部７５の右側外周面７６に対して滑らかに連なるように形成されている。
【００３４】
減速機構４１は、広く利用される遊星歯車機構により構成される。減速機構４１は、入力ギヤ３７と噛合する３つの遊星歯車４２を有する。遊星歯車４２は、出力側に配置されるキャリア４７に支軸４６を介して回転可能に支持されている。この遊星歯車４２は、さらに外周側に配置されるインターナルギヤ４５と噛合している。つまり、遊星歯車４２は、噛合する入力ギヤ３７から回転駆動力が伝達されて自転し、噛合するインターナルギヤ４５内で公転する。この遊星歯車４２の公転がキャリア４７の回転となる。キャリア４７は駆動軸５２を一体回転させる。キャリア４７は、後側がベアリング４８にて回転支持され、前側が収容凹部５６９を通じてアンビル５６とともにニードルベアリング５６３にて回転支持されている。つまり、ベアリング４８はモータ軸３５を支持する。ベアリング４８はベアリングボックス５０に支持されている。インターナルギヤ４５はベアリングボックス５０内で相対回転不可に固定保持される。インターナルギヤ４５は、ベアリングボックス５０内に係止される止め輪４９により、ベアリングボックス５０内からの外れが規制されている。
【００３５】
打撃機構５１は、概略、駆動軸５２と鋼球５３とハンマ５４と圧縮ばね５５とアンビル５６とを有する。これらの駆動軸５２と鋼球５３とハンマ５４と圧縮ばね５５とアンビル５６とは、ハンマケース５８内に収容支持される。駆動軸５２は、キャリア４７と一体で回転駆動する。駆動軸５２の周面には、鋼球保持凹部５２１が設けられている。この鋼球保持凹部５２１は、鋼球５３の半分を収容可能な凹形に形成される。この鋼球保持凹部５２１の凹形は、前後方向に傾斜して延びる凹形となっている。つまり、鋼球５３は、傾斜方向に延びる鋼球保持凹部５２１内で転動可能となっている。これに対し、適宜の重量を有するハンマ５４にも、鋼球５３が転動するガイド溝５４１が設けられている。このガイド溝５４１は、鋼球保持凹部５２１と相対回転により対面可能とされる箇所に設けられている。このガイド溝５４１も、鋼球５３の半分を収容可能な凹形に形成される。このガイド溝５４１の凹形は、前後方向に延びる凹形となっている。つまり、鋼球５３は、前後方向に延びるガイド溝５４１内で転動可能となっている。
【００３６】
ハンマ５４には、圧縮ばね５５を収容する収容凹部５４３が設けられている。この収容凹部５４３は前後方向で抉られる凹形をなしている。この収容凹部５４３の前側の内端にスチールボール５５１およびワッシャ５５３を介して圧縮ばね５５の前端が当接する。圧縮ばね５５は、後端がキャリア４７に当接支持され、前端が収容凹部５４３内で当接支持され、常時ハンマ５４を前方に付勢している。ハンマ５４の前面には、打撃片部５４５が前方に突出して設けられている。打撃片部５４５は、アンビル５６の後端に設けられる打撃アーム部５６５に当たる突出形状をなす。なお、打撃片部５４５は、ハンマ５４の前面にて周方向１８０度間隔で２つ設けられている。
【００３７】
アンビル５６は、アンビル本体５６１と上記した打撃アーム部５６５とを有する。打撃アーム部５６５は、打撃片部５４５と対面する位置までアンビル本体５６１の後端から径方向外側にアーム形に延びている。打撃アーム部５６５も、アンビル５６の後端にて周方向１８０度間隔で２つ設けられている。アンビル本体５６１は、前後方向に延びる略円筒形状に形成される。アンビル本体５６１の外周には、ニードルベアリング５６３が当接されている。ニードルベアリング５６３は、ハンマケース５８に収容保持されながら、当接するアンビル本体５６１（アンビル５６）を回転支持する。アンビル本体５６１の前端には、ビットＢを保持するためのビット保持機構５７が設けられている。ビット保持機構５７は、ビットＢをアンビル本体５６１の内部５６２に収容保持する。
【００３８】
打撃機構５１は次のように作動する。すなわち、ねじ締めの最終段階で、ビットＢを経てアンビル５６に対して一定以上の回転抵抗（ねじ締め抵抗）が付加されると、駆動軸５２とハンマ５４との間で回転方向の相対変位が生じることとなる。この相対変位は、鋼球保持凹部５２１およびガイド溝５４１の間で圧縮ばね５５の付勢力に抗して鋼球５３を移動させるように作用する。そうすると、ハンマ５４は駆動軸５２に対して相対的に後退することとなり、それまで打撃アーム部５６５に当接していた打撃片部５４５は打撃アーム部５６５から外れることとなる。このように打撃片部５４５が打撃アーム部５６５から外れるとハンマ５４は瞬間的に空転することとなるが、圧縮ばね５５の付勢力を受けて打撃片部５４５は再び打撃アーム部５６５に当たることとなる。この打撃片部５４５の打撃アーム部５６５への当たりが、アンビル５６の回転動作に加えられる回転方向の打撃力として作用する。アンビル５６の打撃アーム部５６５に対するハンマ５４の打撃片部５４５の離脱係合動作が繰り返されることにより、アンビル５６ひいてはビットＢに対してねじ締め方向の打撃力が繰り返し付加され、これによりねじを強固に締め付けることができる。
【００３９】
リアカバー部材６０について、図５〜図８を参照しながら説明する。リアカバー部材６０は、モータハウジング部３１の後端に組み付けられる。このリアカバー部材６０は、本発明に係るリアカバーに相当する。リアカバー部材６０は、キャップ本体６１と左側周壁部６５と右側周壁部７５とを一体に連接して形成される。キャップ本体６１は、従前より利用されるキャップ部材と同様に構成され、上記したモータハウジング部３１の開口端３１１を閉塞する。モータハウジング部３１に組み付けられたキャップ本体６１は、モータハウジング部３１と共にハウジング構造の一部をなす。なお、キャップ本体６１は、モータハウジング部３１とは別の部材であり、モータハウジング部３１に組み付けられる本発明に係る他のハウジング部材に相当するものとなっている。また、このキャップ本体６１は、モータハウジング部３１の後部に組み付けられる本発明に係るカバー体に相当する。
【００４０】
キャップ本体６１は、モータハウジング部３１の最後部として配置される後端壁６２と、後端壁６２の外周縁から僅かに前側に突き出される外環部６３とを有する。後端壁６２は、正面視すると下部が一部切欠かれた略円形に形成される。外環部６３は、後端壁６２の外周縁から前方に突き出された形状をなす。後端壁６２の左右それぞれの側部には、雄螺子を差し込むための留め孔６２１，６２２が設けられている。留め孔６２１，６２２は、前後に貫通されて差し込まれた雄螺子（不図示）を、モータハウジング部３１に設けられる雌螺子（不図示）に螺合可能としている。この雄螺子の螺合により、リアカバー部材６０はモータハウジング部３１をなすハウジング１４と一体となる。
【００４１】
外環部６３の左右のそれぞれの周面には、排気用開口部３８１，３８１，３８１，・・・が６つずつ並べられて設けられている。排気用開口部３８１は、ハウジング１４の外部に排気可能に連通している。排気用開口部３８１は、モータ軸３５の回転径方向に貫通し、ファン３６の外周部分と対面するように配置される。上記したファン３６の回転によってブラシレスモータ３３を冷却した後の冷却風は、排気用開口部３８１を通じて外部にスムーズに排気させる。外環部６３の左側には、前側に突き出される左側周壁部６５が連接されている。外環部６３の右側にも、前側に突き出される右側周壁部７５が連接されている。このようにキャップ本体６１に対して左右で対をなして設けられる左側周壁部６５と右側周壁部７５とは、リアカバー部材６０の一部をなしている。つまり、左側周壁部６５と右側周壁部７５とは、ハウジング１４とは他のハウジング部材をなすキャップ本体６１と一体に成形されてリアカバー部材６０をなしている。
【００４２】
左側周壁部６５と右側周壁部７５とは本発明に係る外周部に相当する。つまり、左側周壁部６５と右側周壁部７５とは、モータハウジング部３１の側部の外周範囲にモータハウジング部３１とは別の部材として配置される。これら左側周壁部６５と右側周壁部７５とは、モータハウジング部３１の外周面３１０に被さるように配置されている。モータハウジング部３１の外周面３１０は、モータハウジング部３１の外周範囲に相当する。つまり、左側周壁部６５の左側外周面６６は、モータハウジング部３１の外周範囲をなす外周面３１０よりも径方向外側に越えた範囲に設定されている。また、右側周壁部７５の右側外周面７６も、モータハウジング部３１の外周範囲をなす外周面３１０をよりも径方向外側に越えた範囲に設定されている。つまり、左側周壁部６５の左側外周面６６と右側周壁部７５の右側外周面７６とは、モータハウジング部３１の外周面３１０の外周範囲を越える範囲まで延びたものとされている。モータハウジング部３１の側部には、モータハウジング部３１とは別の外周部としての左側周壁部６５と右側周壁部７５が配置されている。
【００４３】
これら左側周壁部６５と右側周壁部７５とは、モータ軸３５の軸線を含む上下前後平面に対して左右対称の形状により形成されている。なお、左側周壁部６５と右側周壁部７５とは、モータ軸３５の軸線方向で視た場合に点対称をなす対の形状で形成されている。つまり、左側周壁部６５と右側周壁部７５とは、左右の配置位置こそ違うが対称な形状に形成されている。このため、これら左側周壁部６５と右側周壁部７５とを説明するにあたっては、代表して図７を参照しながら左側周壁部６５だけを説明することとし、右側周壁部７５に関しては左側周壁部６５に類する符号を図面に付してその説明を省略することとする。なお、右側周壁部７５において左側周壁部６５と一致する形状に関しては、末尾が同一番号となる符号を図面に付して説明を省略する。
【００４４】
左側周壁部６５は、後から前へ順に、連接後部６５１と第１範囲部６５３と第２範囲部６５５と係止前部６５７とを有する。これら連接後部６５１と第１範囲部６５３と第２範囲部６５５と係止前部６５７とは、一体に連なって成形されている。連接後部６５１は、排気用開口部３８１が並んで設けられる外環部６３の範囲に隣接して設けられている。連接後部６５１は、外環部６３よりも径方向外側に拡がるように形成されている。このため、連接後部６５１から前側に真っ直ぐ延びる第１範囲部６５３および第２範囲部６５５は、モータハウジング部３１の外周面３１０を覆うように配置される。第１範囲部６５３は、後部が連接後部６５１と連なっており、前部が第２範囲部６５５と連なっている。
【００４５】
第１範囲部６５３は、後から前に向かうにしたがって上下幅が徐々に短くなっている先細り形に形成されている。第１範囲部６５３は、図２に示すように、連接後部６５１からモータハウジング部３１の略中間位置の螺子締結箇所（図示符号１２１（１２），１２２（１２））まで延びている。これに対し、第２範囲部６５３は、この略中間位置の螺子締結箇所（図示符号１２１（１２），１２２（１２））から前側に延びている。ちなみに、第１範囲部６５３は、この略中間位置の螺子締結箇所（図示符号１２１（１２），１２２（１２））を外部に露出させることができるように先細る形状が選択されている。第２範囲部６５５も、後から前に向かうにしたがって緩やかに上下幅が徐々に短くなっている先細り形に形成されている。
【００４６】
この第２範囲部６５５の先細る傾斜角度は、第１範囲部６５３の先細る傾斜角度よりも緩やかなものとなっている。この第２範囲部６５５は、略中間位置の螺子締結箇所（図示符号１２１（１２），１２２（１２））の前側からハンマ部４０の外周側におよぶ範囲まで延びている。なお、第１範囲部６５３および第２範囲部６５５のそれぞれの先細る傾斜角度は、上下の中間位置の出力軸線Ｘ１（図２等参照）に対して上下線対称をなしている。第２範囲部６５５の前端には、係止前部６５７が設けられている。係止前部６５７は、係止爪部６５８を有する。係止爪部６５８は、ハンマケースカバー７０の係止凹部７３３に係止可能に設けられている。係止爪部６５８を係止凹部７３３に係止させておくと、左側周壁部６５は、後側はキャップ本体６１で支持されると共に、前側はハンマケースカバー７０で支持されることとなる。
【００４７】
第１範囲部６５３および第２範囲部６５５の外周面同士は、滑らかに連なって左側外周面６６をなしている。左側外周面６６は、モータハウジング部３１の外周面３１０よりも径方向外側（外周側）に設定された外周面となっている。この左側外周面６６も、外周面３１０と同様の湾曲する周面形状をなしている。ここで、左側外周面６６にはインパクトドライバ１０の製造メーカを表示するロゴ表示部６７が一体成形により設けられている。ロゴ表示部６７は、左側周壁部６５と一体で成形される。ロゴ表示部６７，６７，６７は、左側外周面６６から僅かに径方向外側に突出された立体形をなして左側外周面６６と一体に成形されている。このロゴ表示部６７は、外部から視認し易いように左側外周面６６の通常の着色とは相違する着色が施されている。例えば、左側外周面６６の通常の着色は緑色であるのに対し、ロゴ表示部６７の着色は白色にされている。ロゴ表示部６７に左側外周面６６の通常の着色とは相違すると着色が施されていると、ロゴ表示部６７が浮かび上がったように表示されることとなり、ロゴ表示部６７の視認のし易さを高めることができる。
【００４８】
右側周壁部７５にあっても、上記したように左側周壁部６５と同様に構成される。すなわち、第１範囲部７５３および第２範囲部７５５の外周面同士も、滑らかに連なって右側外周面７６をなしている。右側外周面７６も、モータハウジング部３１の外周面３１０よりも径方向外側（外周側）に設定された外周面となっている。この右側外周面７６も、左側外周面６６と同様の湾曲する周面形状をなしている。ここで、図５と図６とを比較して分かるように、右側外周面７６にはインパクトドライバ１０の製品情報を表示するネームラベル７７が貼り付けられている。このネームラベル７７は識別シールである。このネームラベル７７は本発明に係る製品情報表示部に相当する。このネームラベル７７には、例えば、モデル名、モデルナンバー、定格電圧、定格電流、製造年月、製造番号、注意事項等の製品情報が記載されている。つまり、右側外周面７６にネームラベル７７が貼られることにより、右側外周面７６には製品情報表示部が設けられたものとなっている。このネームラベル７７は、右側外周面７６内に収まる大きさとなっており、記載される製品情報も視認し易い文字の大きさが選択されている。なお、ネームラベル７７は、表面に製品情報が記載され、裏面が貼り付け面となっている。なお、ロゴ表示部６７やネームラベル７７は、本発明に係る表示部に相当する。
【００４９】
左側周壁部６５および右側周壁部７５にあっては、モータハウジング部３１にリアカバー部材６０が組み付けられた場合に、モータハウジング部３１の外周面３１０との間に通気用の隙間Ｓ１が生ずるように形成されている。隙間Ｓ１は、モータハウジング部３１の外周面３１０と、左側周壁部６５の内周面６５９（右側周壁部７５の内周面７５９）との間で設定される通気用の隙間である。この隙間Ｓ１は、モータハウジング部３１の外周面３１０と左側周壁部６５の内周面６５９（右側周壁部７５の内周面７５９）との間で、上下方向の連通部Ｓ２，Ｓ３を通じて外部から吸気可能となっている。このように設定される隙間Ｓ１および連通部Ｓ２，Ｓ３より、吸気用開口部３８２から外気を好ましく吸気することが可能となっている。つまり、これら左側周壁部６５および右側周壁部７５は、通気可能に吸気用開口部３８２に被さるように配置されている。
【００５０】
上記した第１の実施の形態のインパクトドライバ１０によれば、モータハウジング部３１の左右の側部には、モータハウジング部３１とは別の左側周壁部６５および右側周壁部７５が配置されている。これによって、モータハウジング部３１の外周範囲を越えた範囲にまで視認可能なロゴ表示部６７やネームラベル７７を設けることができる。これによって、モータハウジング部３１の小型化が図られてモータハウジング部３１の外周範囲が狭くなってしまう場合でも、モータハウジング部３１の外周とは別の箇所に表示部としてのロゴ表示部６７やネームラベル７７を設けることができる。したがって、モータハウジング部３１の小型化が図られたインパクトドライバ１０にあっても、製造メーカや製品情報に関する表示内容をユーザは視認し易くなる。
【００５１】
また、上記した第１の実施の形態のインパクトドライバ１０によれば、左側周壁部６５および右側周壁部７５は、モータハウジング部３１の外周面３１０に被さるように配置されているので、モータハウジング部３１を含むハウジング構成を変えることなく、視認可能なロゴ表示部６７やネームラベル７７を設けることができる。また、上記した第１の実施の形態のインパクトドライバ１０によれば、左側周壁部６５および右側周壁部７５はモータハウジング部３１に組み付けられるキャップ本体６１と一体に形成されているので、部品点数を抑えることができて製造に有利となる。また、このように左側周壁部６５および右側周壁部７５が設けられていると、キャップ本体６１の組付けと同時に左側周壁部６５および右側周壁部７５をモータハウジング部３１に組み付けることができる。
【００５２】
また、上記した第１の実施の形態のインパクトドライバ１０によれば、左側周壁部６５の外周面６６にはロゴ表示部６７が設けられているので、ユーザは設けられたロゴ表示部６７を視認することができる。また、上記した第１の実施の形態のインパクトドライバ１０によれば、右側周壁部７５の右側外周面７６にはネームラベル７７が貼り付けられている。このネームラベル７７には、例えば、モデル名、モデルナンバー、定格電圧、定格電流、製造年月、製造番号、注意事項等の製品情報が記載されているので、ユーザはこれらの製品情報を視認することができる。また、上記した第１の実施の形態のインパクトドライバ１０によれば、左側周壁部６５および右側周壁部７５は吸気用開口部３８２を覆うように配置されているので、吸気用開口部３８２の開口範囲まで外周面６６，７６を形成することができて、上記した左側周壁部６５および右側周壁部７５の外周面６６，７６の範囲を拡げることができる。
【００５３】
また、左側周壁部６５および右側周壁部７５は、上記した複数の吸気用開口部３８２に対しても被さるように吸気用開口部３８２の外周側を覆っている。つまり、吸気用開口部３８２から外気を吸気するにあたっては、図３に示すように、モータハウジング部３１の外周面３１０との間の通気用隙間Ｓ１と、通気用隙間Ｓ１に対して上下方向に連通する連通部Ｓ２，Ｓ３を通じて外気を吸気することとなる。つまり、吸気用開口部３８２への外気の吸気を、図示されるラビリンス構造（Ｓ１，Ｓ２，Ｓ３）を通じてなされるものとし、吸気の際の防塵防水効果を高めることができる。このように吸気の際の防塵防水効果が高められていると、吸気用開口部３８２の大きさも通常よりも大きな開口形状とすることができて、ブラシレスモータ３３の冷却効率を向上させることができる。
【００５４】
〔第２の実施の形態〕
次に、第１の実施の形態の変形例となる第２の実施の形態について、図１１〜図１４を参照しながら説明する。図１１の外観斜視図は第２の実施の形態のインパクトドライバ１０Ａを示している。図１２の側面図は図１１のインパクトドライバ１０Ａを右側面視している。図１３の断面図は図１２の図示(XIII)-(XIII)断面矢視を示している。図１４の右側斜視図は取り外された周壁カバー６５Ａ，７５Ａを示している。この第２の実施の形態では、上記した第１の実施の形態と比較して主に外周部の構成（周壁カバー６５Ａ，７５Ａ）が相違する。このため、この第２の実施の形態において第１の実施の形態と同一に構成される部分には上記と同一符号を図面に記載してその説明を省略するものとする。
【００５５】
この第２の実施の形態では、左側周壁部６５および右側周壁部７５をキャップ本体６１から分離させて周壁カバー６５Ａ，７５Ａとしている。また、リアカバー部材６０Ａは、左側周壁部６５および右側周壁部７５から分離させたキャップ本体６１のみの構成となっている。また、ハンマケースカバー７０にあっては、左係止側部７３および右係止側部７４が除かれてスリム化された構成となっている。モータハウジング部３１の外周左側には、左側周壁カバー６５Ａが付け外し可能に取り付けられている。この左側周壁カバー６５Ａの外部形状は、上記した左側周壁部６５の外部形状と略同一である。また、モータハウジング部３１の外周右側には、右側周壁カバー７５Ａが付け外し可能に取り付けられている。この右側周壁カバー７５Ａの外部形状は、上記した右側周壁部７５の外部形状と略同一である。これら左側周壁カバー６５Ａと右側周壁カバー７５Ａとは、モータハウジング部３１の外周面３１０に対し、凹凸嵌合により付け外し可能に取り付けられる。
【００５６】
具体的には、図１３に示す左側周壁カバー６５Ａの裏面には、３つの嵌合ピン部６８Ａが設けられている。３つの嵌合ピン部６８Ａは、モータハウジング部３１の外周面３１０に設けられた不図示の嵌合孔部に嵌合可能に構成される。この嵌合ピン部６８Ａが嵌合孔部に嵌合されると、モータハウジング部３１の外周面３１０に左側周壁カバー６５Ａが取り付けられたものとなる。なお、右側周壁カバー７５Ａも、左側周壁カバー６５Ａと同様の嵌合ピン部（図示省略）が設けられ、モータハウジング部３１の外周面３１０に取付け可能となっている。
【００５７】
このように取り付けられた左側周壁カバー６５Ａおよび右側周壁カバー７５Ａにあっても、上記した隙間Ｓ１および連通部Ｓ２，Ｓ３が設けられる。このような隙間Ｓ１や連通部Ｓ２，Ｓ３が設けられることにより、吸気用開口部３８２を通じて外部から好ましく吸気することができる。この第２の実施の形態の左側周壁カバー６５Ａおよび右側周壁カバー７５Ａにあっても、第１の実施の形態の左側周壁部６５および右側周壁部７５と同一の左側外周面６６および右側外周面７６を有する。このため、図面には第１の実施の形態を説明する際に付した符号を図面に付し、その説明に関しては省略することとする。つまり、第１の実施の形態と同様、左側外周面６６には製造メーカを表示するロゴ表示部６７が一体成形により設けられ、右側外周面７６には適宜の製品情報を表示するネームラベル７７が貼り付けられている。
【００５８】
このような左側周壁カバー６５Ａおよび右側周壁カバー７５Ａを有するインパクトドライバ１０Ａにあっても、上記した第１の実施の形態のインパクトドライバ１０と同様の作用効果を奏することができる。また、この第２の実施の形態のインパクトドライバ１０Ａにあっては、左側周壁カバー６５Ａおよび右側周壁カバー７５Ａを付け外しすることができるので、狭い場所でインパクトドライバ１０Ａを使用したい場合に左側周壁カバー６５Ａおよび右側周壁カバー７５Ａを外して、作業のし易いスリムな形にすることができる。なお、左側周壁カバー６５Ａおよび右側周壁カバー７５Ａを取り付けている場合には、モータハウジング部３１の保護も図ることができる。
【００５９】
〔第３の実施の形態〕
次に、第１および第２の実施の形態とは相違する第３の実施の形態について、図１５〜図１８を参照しながら説明する。図１５の外観斜視図は第３の実施の形態のインパクトドライバ１０Ｂを示している。図１６の側面図は図１５のインパクトドライバ１０Ｂを左側面視している。図１７の外観斜視図はハンマケース８０を単品で示している。図１８の側面図は図１７のハンマケース８０を左側面視している。この第３の実施の形態のインパクトドライバ１０Ｂは、第１および第２の実施の形態と相違し、本発明に係る外周部をハンマケース８０に設けた点が相違する。なお、この図示されるインパクトドライバ１０Ｂは、図１のインパクトドライバ１０と比較して各部分で相違するように構成される。このため、第１の実施の形態と同様に機能する部分について上記と同一符号を図面に記載してその説明を省略するものとする。
【００６０】
ハンマケース８０は、本発明に係るハウジング部材に相当し、モータハウジング部３１の前部に組み付けられる機構ケースに相当する。ハンマケース８０は、上記したハンマ部４０の金属製のケースとして構成され、モータハウジング部３１の前部に組み付けられて固定される。ハンマケース８０は、図１７および図１８に示すようにアンビル５６を突出可能に前端を貫通させた略カップ形に形成される。ハンマケース８０は、後から順に、ベアリングボックス支持部８１と、ハンマ収容部８２と、アンビル支持部８３とを有する。ベアリングボックス支持部８１はベアリングボックス５０を内部に収容支持する。なお、ベアリングボックス５０は上記した減速機構４１を内部に収容支持する。
【００６１】
ハンマ収容部８２は上記した打撃機構５１を内部に収容支持する。アンビル支持部８３は、ハンマケース８０の前部に設定される。このアンビル支持部８３は、内部で保持されるニードルベアリング５６３によりアンビル５６を回転可能に支持する。このアンビル支持部８３の外周側にはバンパ保持部８４が設けられている。バンパ保持部８４は、図１５および図１６に示すようなバンパ９７を支持するための外周形状を有する。バンパ保持部８４は、バンパ９７の内周形状に対応して形成されている。ちなみに、バンパ９７は、弾性変形可能なゴム等からなる樹脂製であり、インパクトドライバ１０Ｂの前部を外部に衝突させてしまった場合の衝撃を緩和する。
【００６２】
このような各機構を収容支持するハンマケース８０の外部形状は、概略、被収容部８５と外部露出部８７と後方延在部９０とに分けられる。被収容部８５は、モータハウジング部３１の内部に収容されるハウジング構造を有する。この被収容部８５は、モータハウジング部３１の前部形状に対応して形成されている。外部露出部８７は、被収容部８５と相違して外部に露出される外周面８８を有する。この外周面８８は、組み付けられたモータハウジング部３１の外周面３１０と連なる形状に形成されている。また、図では左側しか見えないが、後方延在部９０は、ハンマケース８０の左右両側にそれぞれ設けられている。後方延在部９０は本発明に係る外周部に相当する。この後方延在部９０は、左右両周面それぞれの略中央位置（左右それぞれの頂点位置）に位置している。なお、外部露出部８７は、上部が周方向に延びる上部周縁８９１で形成されるのに対し、左右側部は後方延在部９０に近づくにしたがって前側に傾斜する傾斜周縁８９２で形成される。
【００６３】
後方延在部９０は、外部露出部８７から後側に突き出された形状を有する。後方延在部９０は、外部露出部８７と連なって前後方向に長く延びる矩形の形状を有している。後方延在部９０は、組み付けられたモータハウジング部３１の外周面３１０よりも僅かに外側に張り出された形状を有する。この後方延在部９０も、外部露出部８７と同様に外部に露出される外面９１を有する。この外面９１は、前後方向で延ばされたものとなっている。外面９１の前半分は、前側に向かうにしたがって内側のアンビル５６配置側に傾斜する面となっている。外面９１の後半分は前後上下平面で延びる平面形状を有する。
【００６４】
この図示されている左側の外面９１にはロゴシール９５が貼り付けられている。このロゴシール９５は本発明に係るロゴ表示部に相当する。なお、この外面９１には、ロゴシール９５と同等のロゴ表示形状が後方延在部９０と一体成形されるものであってもよい。このロゴシール９５は、上記した左側外周面６６に設けられるロゴ表示部６７と略同等に、インパクトドライバ１０Ｂの製造メーカのロゴ表示部が表示される。つまり、後方延在部９０の外面９１は、上記した左側外周面６６や右側外周面７６と同様、製品の製造メーカや製品の製品情報を表示する表示部として機能することができる。ちなみに、ロゴシール９５に替えてネームラベル７７が貼り付けられるものであってもよい。
【００６５】
モータハウジング部３１の前部開口端３１２は、図１５に示すように、上記した外部露出部８７および後方延在部９０の縁形状に対応して形成される。具体的には、前部開口端３１２は、外部露出部８７の上部周縁８９１および傾斜周縁８９２に対応した形状を有すると共に、後方延在部９０が差し込まれる凹形の形状を有する。すなわち、前部開口端３１２の上部は、ハンマケース８０を組み付けた場合に上部周縁８９１が当接する上部周縁３９１を有する。前部開口端３１２の左右の両側部は、ハンマケース８０を組み付けた場合に傾斜周縁８９２が当接する傾斜周縁３９２を有する。
【００６６】
この前部開口端３１２の左右の両側部には、ハンマケース８０を組み付けた場合にハンマケース８０の後方延在部９０が差し込まれる凹形部３９３が設けられている。この凹形部３９３は、後方延在部９０に対応した形状であり、前後方向に長く延びる矩形で切り欠かれた形状を有する。また、凹形部３９３の周縁には、外側に突出する縁取り部３９５が設けられている。この凹形部３９３は、本発明に係る切欠き部に相当する。凹形部３９３は、モータハウジング部３１の外周範囲を一部切り欠くように設けられる。ハンマケース８０がモータハウジング部３１に組み付けられると、この凹形部３９３には後方延在部９０が入り込むように配置されることとなる。ここでハンマケース８０の後方延在部９０は、モータハウジング部３１の凹形部３９３に対して、前から後へスライドされるように嵌合される。つまり、後方延在部９０は、凹形部３９３に対して回転規制方向となる前後方向で嵌合されている。このような嵌合は、モータハウジング部３１に対するハンマケース８０の相対的な回転を規制するように作用する。つまり、ロゴ表示する後方延在部９０は、モータハウジング部３１に対するハンマケース８０の回り止め作用も兼ねている。
【００６７】
このような後方延在部９０を有するインパクトドライバ１０Ｂにあっても、上記した第１の実施の形態のインパクトドライバ１０と同様の作用効果を奏することができる。すなわち、第３の実施の形態のインパクトドライバ１０Ｂによれば、モータハウジング部３１の外周範囲にはモータハウジング部３１とは別の後方延在部９０が配置されている。ここで後方延在部９０の外面９１は、モータハウジング部３１の外周範囲を越える前側の範囲まで延びているので、モータハウジング部３１の外周範囲を越えた前側範囲にまで識別可能なロゴシール９５やネームラベル７７等の表示部を設けることができる。これによって、モータハウジング部３１の小型化が図られてモータハウジング部３１の外周範囲が狭くなってしまう場合でもロゴシール９５の視認は可能となる。したがって、小型化が図られたインパクトドライバ１０Ｂにあっても、インパクトドライバ１０Ｂの外面に記載される製品の製造メーカや製品の製品情報は、ユーザにとって見え易いようになる。
【００６８】
また、上記した第３の実施の形態のインパクトドライバ１０Ｂによれば、後方延在部９０はモータハウジング部３１の前部に組み付けられるハンマケース８０に設けられるので、ハンマケース８０の組付けと同時に後方延在部９０を組み付けることができる。また、上記した第３の実施の形態のインパクトドライバ１０Ｂによれば、後方延在部９０はモータハウジング部３１に設けられた凹形部３９３に入り込んで配置されているので、後方延在部９０を配置した場合の外周寸法を抑えることができる。また、上記した第３の実施の形態のインパクトドライバ１０Ｂによれば、左側の後方延在部９０の外面９１には、ロゴシール９５が貼り付けられているので、ユーザは貼り付けられたロゴ表示を視認することができる。また、ロゴ表示する後方延在部９０は、バンパ保持部８４の後方であってベアリングボックス支持部８１の前方に配置されるので、外部からの傷つき難い位置としながら、より前側に配置されて視認性に優れたものとなる。
【００６９】
なお、第３の実施の形態の後方延在部９０は、ハンマケース８０と一体に設けられるものとなっていた。しかしながら、この後方延在部９０にあっては、第１および第２の実施の形態にて説明したハンマケースカバー７０に一体に設けられるものであってもよい。ちなみに、第３の実施の形態のインパクトドライバ１０Ｂは、上記した第１および第２の実施の形態とは相違してハンマケースカバー７０が設けられていない。このハンマケースカバー７０は、本発明に係るケースカバーに相当する。このようにハンマケースカバー７０に後方延在部９０を設けた場合には、ハンマケースカバー７０の組付けと同時に簡単に後方延在部９０を組み付けることができ、さらに後方延在部９０も簡単かつ安価に成形することができる。
【００７０】
また、本発明に係る回転工具にあっては、上記した実施の形態に限定されるものではなく適宜に変更を加えて構成することが可能である。例えば、上記した実施の形態では、回転工具の一例としてインパクトドライバ１０を挙げて説明するものとした。しかしながら、本発明に係る回転工具にあっては、インパクトレンチや、ドライバドリルや、ハンマドリルなどで構成されるものであってもよく、適宜の回転あるいは回転打撃を発生させる電動工具を選択することができる。その場合には、動力伝達機構としては、上記した実施の形態に限定されることなく、適宜の機構を採用することができる。また、動力伝達機構としては複数の機構を有して構成されるものであってもよく、機構ケースとしても複数に分割されて構成されるものであってもよい。
【符号の説明】
【００７１】
１０，１０Ａ，１０Ｂ  インパクトドライバ（回転工具、回転打撃工具）
１１  工具本体
１２  螺子締結箇所
１３  バッテリ装着部
１３１  ターミナル
１３２  係止構造
１３３  コントローラ
１４  ハウジング
１５  左側分割ハウジング
１６  右側分割ハウジング
１７  操作表示部
１８  ストラップ部材
１９  フック部材
２０  グリップ部
２１  グリップハウジング部
２２  操作スイッチ
２３  スイッチ本体
２４  トリガ部材
２５  切替ノブ
２６  ＬＥＤ照射装置
３０  モータ部
３１  モータハウジング部
３１０  外周面
３１１  開口端
３１２  前部開口端
３３  ブラシレスモータ
３３１  ロータ
３３２  永久磁石
３３３  ステータ
３３４  コイル
３３５  センサ基板
３５  モータ軸
３５１  前側ベアリング
３５２  後側ベアリング
３６  ファン
３７  入力ギヤ
３８１  排気用開口部
３８２  吸気用開口部（通気孔）
３９１  上部周縁
３９２  傾斜周縁
３９３  凹形部（切欠き部）
３９５  縁取り部
４０  ハンマ部
４１  減速機構（動力伝達機構、出力部）
４２  遊星歯車
４５  インターナルギヤ
４６  支軸
４７  キャリア
４８  ベアリング
４９  止め輪
５０  ベアリングボックス
５１  打撃機構（動力伝達機構、出力部）
５２  駆動軸
５２１  鋼球保持凹部
５３  鋼球
５４  ハンマ
５４１  ガイド溝
５４３  収容凹部
５４５  打撃片部
５５  圧縮ばね
５５１  スチールボール
５５３  ワッシャ
５６  アンビル（出力軸）
５６１  アンビル本体
５６２  内部
５６３  ニードルベアリング
５６５  打撃アーム部
５６９  収容凹部
５７  ビット保持機構
５８  ハンマケース
５９  被係止部
６０，６０Ａ  リアカバー部材（リアカバー）
６１  キャップ本体（他のハウジング部材、カバー体）
６１Ａ  キャップ部材
６２  後端壁
６２１，６２２  留め孔
６３  外環部
６４  係止部材
６５  左側周壁部（外周部）
６５Ａ  左側周壁カバー（外周部）
６５１  連接後部
６５３  第１範囲部
６５５  第２範囲部
６５７  係止前部
６５８  係止爪部
６５９  内周面
６６  左側外周面
６７  ロゴ表示部
６８Ａ  嵌合ピン部
７０  ハンマケースカバー
７１  前端部
７２  カバー本体
７３  左係止側部
７４  右係止側部
７３３，７４３  係止凹部
７３５，７４５  外周面
７５  右側周壁部（外周部）
７５Ａ  右側周壁カバー（外周部）
７５１  連接後部
７５３  第１範囲部
７５５  第２範囲部
７５７  係止前部
７５８  係止爪部
７５９  内周面
７６  右側外周面
７７  ネームラベル（識別シール）
８０  ハンマケース（他のハウジング部材、機構ケース）
８１  ベアリングボックス支持部
８２  ハンマ収容部
８３  アンビル支持部
８４  バンパ保持部
８５  被収容部
８７  外部露出部
８８  外周面
８９１  上部周縁
８９２  傾斜周縁
９０  後方延在部
９１  外面
９５  ロゴシール
９７  バンパ
１００  バッテリ
１０１  ロック解除ボタン
Ｂ  ビット
Ｓ１  隙間
Ｓ２，Ｓ３  連通部
Ｘ１  出力軸線
【図１】
2017144523.tif 000003
【図２】
2017144523.tif 000004
【図３】
2017144523.tif 000005
【図４】
2017144523.tif 000006
【図５】
2017144523.tif 000007
【図６】
2017144523.tif 000008
【図７】
2017144523.tif 000009
【図８】
2017144523.tif 000010
【図９】
2017144523.tif 000011
【図１０】
2017144523.tif 000012
【図１１】
2017144523.tif 000013
【図１２】
2017144523.tif 000014
【図１３】
2017144523.tif 000015
【図１４】
2017144523.tif 000016
【図１５】
2017144523.tif 000017
【図１６】
2017144523.tif 000018
【図１７】
2017144523.tif 000019
【図１８】
2017144523.tif 000020